(57)【要約】【課題】ソフトウェアキーボードに比べ短時間で文字を入力でき操作性の改善を図る文字入力装置、それを用いた文字入力方法及びそのプログラムを提供する。【解決手段】リモートコントロール装置からの同じ数字キーへの連続入力回数ｎが１であれば（Ｓ２）画面の選択表示中のキーの有無を確認する（Ｓ３）。選択表示中のキーがあれば非選択に戻した（Ｓ４）後に、入力された数字キーに対応するキーを選択表示し（Ｓ５）、選択表示中のキーが無ければ入力された数字キーに対応するキーを選択表示する（Ｓ５）。同じ数字キーへの連続入力回数ｎが２であれば（Ｓ２、Ｓ７）、連続入力回数ｎが２及び入力数字キーに対応する文字を文字入力枠に表示する（Ｓ８）。その表示文字を選択指示する場合は（Ｓ９）次の入力は同じ数字キーかどうかを判断する（Ｓ１１）。その表示文字を選択指示しない場合は連続入力回数ｎを１つずつ増加して（Ｓ１０）同様に繰り返す。【選択図】図５
2005182287.tif 000002
【特許請求の範囲】
【請求項１】
リモートコントロール装置への入力内容を表示装置に表示させる文字入力装置であって、
前記リモートコントロール装置の数字キー又は記号キー入力に対応して送信されるリモートコントロールコードの信号を受信するリモートコントロール受信部と、
前記リモートコントロール受信部が受信したリモートコントロールコードを解読して入力された数字キーの番号又は記号キーの記号を認識するリモートコントロールコード解読部と、
前記リモートコントロール装置の同じ数字キーへの連続入力回数に対応する文字及びその文字コードからなる文字コード情報テーブルを格納する文字コード格納部と、
前記文字コード情報テーブルにより、前記リモートコントロールコード解読部が解読して認識した数字キーの番号又は記号キーの記号及び前記同じ数字キーへの連続入力回数とから、前記数字キーの番号又は記号キーの記号に対応する文字コードと文字を検索し、前記数字キーの番号又は記号キーの記号を前記文字コードへ変換するコード変換部と、
前記表示装置の画面表示エリア内における前記リモートコントロール装置と同じキー配置を示すキーレイアウトの中で、前記コード変換部が変換した前記文字コードに対応するキーの色を変えることでそのキーが選択又は非選択されていることを表示する手段を有し、前記リモートコントロールコード解読部が解読して認識した数字キーの番号により、同じ数字キーへの連続入力回数が１であると判断した場合、既に選択表示中のキーの有無を確認し、選択表示中のキーがあれば非選択に戻した後に、前記コード変換部が変換した前記文字コードに対応するキーを選択表示し、既に選択表示中のキーが無ければそのまま前記コード変換部が変換した前記文字コードに対応するキーを選択表示し、前記リモートコントロール装置の所定の記号キーの押下により入力を決定する場合は、前記記号キーの押下により対応する記号キーを選択表示するキー選択表示部と、
前記リモートコントロールコード解読部が解読して認識した数字キーの番号により、同じ数字キーへの連続入力回数が２以上であると判断した場合に、連続入力回数に対応する前記文字コード情報テーブルの数字キーの番号から前記コード変換部が検索した文字を前記表示装置の画面表示エリア内における文字入力枠に表示し、その後、表示文字を選択指示する旨の入力を受け付けると、次の入力が異なる数字キーの場合は、その異なる数字キーを入力して前記文字入力枠の文字表示欄をシフトし、次の入力が同じ数字キーの場合は、所定の記号キーの押下により前記キー選択表示部によって対応する記号キーが選択表示された後に、前記所定の記号キーの再押下により表示文字を選択指示し、前記文字入力枠の文字表示欄をシフトし、連続入力回数を１増加して同様に繰り返し、前記選択指示がない場合は、連続入力回数を１増加して同様に繰り返す入力文字表示部とから構成される、文字入力装置。
【請求項２】
前記キー選択表示部は、前記キーレイアウトの中で、前記コード変換部が変換した前記文字コードに対応するキーの形状を変えることで、そのキーが選択されていることを表示する手段を有する、請求項１に記載の文字入力装置。
【請求項３】
前記キー選択表示部は、前記キーレイアウトの中で、前記コード変換部が変換した前記文字コードに対応するキーに対応する文字を音声としてスピーカから出力することで、そのキーが選択されていることを表示する手段を有する、請求項１に記載の文字入力装置。
【請求項４】
リモートコントロール装置への入力内容を表示装置に表示させる文字入力装置を用いた文字入力方法であって、
リモートコントロール装置の数字キー又は記号キー入力に対応して送信されるリモートコントロールコードの信号を前記リモートコントロール装置により文字入力装置のリモートコントロール受信部へ送信するステップと、
前記リモートコントロール装置から送信された前記リモートコントロールコードの信号を前記リモートコントロール受信部により受信するステップと、
前記リモートコントロール受信部が受信したリモートコントロールコードを、前記文字入力装置のリモートコントロールコード解読部により、解読して、入力された数字キーの番号又は記号キーの記号を認識するステップと、
前記リモートコントロール装置の同じ数字キーへの連続入力回数に対応する文字及びその文字コードからなる文字コード情報テーブルを用いて、前記文字入力装置のコード変換部により、前記リモートコントロールコード解読部が解読して認識した数字キーの番号又は記号キーの記号及び前記同じ数字キーへの連続入力回数とから、前記数字キーの番号又は記号キーの記号に対応する文字コードと文字を検索し、前記数字キーの番号又は記号キーの記号を前記文字コードへ変換するステップと、
前記文字入力装置のキー選択表示部により、前記表示装置の画面表示エリア内における前記リモートコントロール装置と同じキー配置を示すキーレイアウトの中で、前記コード変換部が変換した前記文字コードに対応するキーの色を変えることでそのキーが選択又は非選択されていることを表示する手段を有し、前記リモートコントロールコード解読部が解読して認識した数字キーの番号により、同じ数字キーへの連続入力回数が１であると判断した場合、既に選択表示中のキーの有無を確認し、選択表示中のキーがあれば非選択に戻した後に、前記コード変換部が変換した前記文字コードに対応するキーを選択表示し、既に選択表示中のキーが無ければそのまま前記コード変換部が変換した前記文字コードに対応するキーを選択表示し、前記リモートコントロール装置の所定の記号キーの押下により入力を決定する場合は、前記記号キーの押下により対応する記号キーを選択表示するステップと、
前記文字入力装置の入力文字表示部により、前記リモートコントロールコード解読部が解読して認識した数字キーの番号により、同じ数字キーへの連続入力回数が２以上であると判断した場合に、連続入力回数に対応する前記文字コード情報テーブルの数字キーの番号から前記コード変換部が検索した文字を前記表示装置の画面表示エリア内における文字入力枠に表示し、その後、表示文字を選択指示する旨の入力を受け付けると、次の入力が異なる数字キーの場合は、その異なる数字キーを入力して前記文字入力枠の文字表示欄をシフトし、次の入力が同じ数字キーの場合は、所定の記号キーの押下により前記キー選択表示部によって対応する記号キーが選択表示された後に、前記所定の記号キーの再押下により表示文字を選択指示し、前記文字入力枠の文字表示欄をシフトし、連続入力回数を１増加して同様に繰り返し、前記選択指示がない場合は、連続入力回数を１増加して同様に繰り返すステップとを有する、文字入力装置を用いた文字入力方法。
【請求項５】
前記キー選択表示部は、前記キーレイアウトの中で、前記コード変換部が変換した前記文字コードに対応するキーの形状を変えることで、そのキーが選択されていることを表示する手段を有する、請求項４に記載の文字入力装置を用いた文字入力方法。
【請求項６】
前記キー選択表示部は、前記キーレイアウトの中で、前記コード変換部が変換した前記文字コードに対応するキーに対応する文字を音声としてスピーカから出力することで、そのキーが選択されていることを表示する手段を有する、請求項４に記載の文字入力装置を用いた文字入力方法。
【請求項７】
コンピュータ又はマイクロプロセッサに、請求項４から６のいずれか１項に記載の文字入力方法を実行させるためのプログラム。
【発明の詳細な説明】
【技術分野】
【０００１】
本発明は、データ放送受信機、それを用いた文字入力方法及びそのプログラムに関する。
【背景技術】
【０００２】
数字キーを利用した文字入力としては携帯電話が一般的となっているが、近年、情報家電製品と呼ばれる製品が増えている中、テレビ受像機を使用した表示、数字キー程度のキー数を持つリモートコントロール装置において文字入力を必要とするコンテンツは増えてくると予想される。
【０００３】
携帯電話のように数字キーと表示装置がごく近くに配置されている場合は問題ないが、テレビ受像機を表示装置として利用してリモートコントロール装置で同様の文字入力を実現しようとする場合には、キー入力の度にテレビ受像機の画面とリモートコントロール装置を交互に見ながら複雑なキー操作を行なわなければならない。更にリモートコントロール装置は情報家電製品に向けている必要があることから著しく操作性が悪くなり、操作者の負担が増えることになる。
【０００４】
また、テレビ受像機の画面上に選択される文字を表示し、リモートコントロール装置のカーソルキーで文字選択をするソフトウェアキーボードを使用する方法もあるが、文字を選択するまでのキー操作回数が多くなったり、入力に時間がかかるという問題がある。
【０００５】
また、ソフトウェアキーボードにおいて、少ないリモートコントロール操作で文字を入力することを目的とし、リモートコントロール装置のボタン配置に対応した文字をディスプレイ装置に表示し、例えばリモートコントロール装置で「い」に対応している「２」番のボタンを押すと、対応する「い」が画面上に表示されるものがある（特許文献１参照。）。
【特許文献１】特開平１０−２４０４１８号公報
【発明の開示】
【発明が解決しようとする課題】
【０００６】
表示装置としてテレビ受像機を用い、入力装置として数字キー程度のキー数しか持たない赤外線リモートコントロール装置を用いる機器において文字入力を行なう場合、キー数が少ないことから１つのキーに複数の文字を割り当てるため、キー入力の回数が増え操作が複雑になる。
【０００７】
さらに、キー入力をするためにはリモートコントロール装置を機器に向けたままキーを押す必要があり、また、キー入力が正しく行なわれたことを確認するためにテレビ受像機の画面とリモートコントロール装置を交互に見ながら複雑なキー操作を行なうことが必要となる。文字入力はこの動作を何度も繰り返す必要があり、操作者にとって煩わしいものとなる。
【０００８】
特許文献１に記載の発明では、リモートコントロール装置のボタン配置に対応した文字をソフトウェアキーボードとしてディスプレイ装置に表示しているが、ソフトウェアキーボードの配置は、"あ"行と"か"行のみが一度に表示され、次の"さ"行と"た"行を表示するには"次"に対応しているリモートコントロール装置のボタンを押さなければならず、操作性は必ずしも良くない。
【０００９】
本発明の目的は、ソフトウェアキーボードに比較して短時間で文字を入力することを可能とし、操作性の改善を図る文字入力装置、それを用いた文字入力方法及びそのプログラムを提供することにある。
【課題を解決するための手段】
【００１０】
本発明の文字入力装置は、
リモートコントロール装置への入力内容を表示装置に表示させる文字入力装置であって、リモートコントロール装置の数字キー又は記号キー入力に対応して送信されるリモートコントロールコードの信号を受信するリモートコントロール受信部と、リモートコントロール受信部が受信したリモートコントロールコードを解読して入力された数字キーの番号又は記号キーの記号を認識するリモートコントロールコード解読部と、リモートコントロール装置の同じ数字キーへの連続入力回数に対応する文字及びその文字コードからなる文字コード情報テーブルを格納する文字コード格納部と、文字コード情報テーブルにより、リモートコントロールコード解読部が解読して認識した数字キーの番号又は記号キーの記号及び同じ数字キーへの連続入力回数とから、数字キーの番号又は記号キーの記号に対応する文字コードと文字を検索し、数字キーの番号又は記号キーの記号を文字コードへ変換するコード変換部と、表示装置の画面表示エリア内におけるリモートコントロール装置と同じキー配置を示すキーレイアウトの中で、コード変換部が変換した文字コードに対応するキーの色を変えることでそのキーが選択又は非選択されていることを表示する手段を有し、リモートコントロールコード解読部が解読して認識した数字キーの番号により、同じ数字キーへの連続入力回数が１であると判断した場合、既に選択表示中のキーの有無を確認し、選択表示中のキーがあれば非選択に戻した後に、コード変換部が変換した文字コードに対応するキーを選択表示し、既に選択表示中のキーが無ければそのままコード変換部が変換した文字コードに対応するキーを選択表示し、リモートコントロール装置の所定の記号キーの押下により入力を決定する場合は、記号キーの押下により対応する記号キーを選択表示するキー選択表示部と、リモートコントロールコード解読部が解読して認識した数字キーの番号により、同じ数字キーへの連続入力回数が２以上であると判断した場合に、連続入力回数に対応する文字コード情報テーブルの数字キーの番号からコード変換部が検索した文字を表示装置の画面表示エリア内における文字入力枠に表示し、その後、表示文字を選択指示する旨の入力を受け付けると、次の入力が異なる数字キーの場合は、その異なる数字キーを入力して文字入力枠の文字表示欄をシフトし、次の入力が同じ数字キーの場合は、所定の記号キーの押下によりキー選択表示部によって対応する記号キーが選択表示された後に、所定の記号キーの再押下により表示文字を選択指示し、文字入力枠の文字表示欄をシフトし、連続入力回数を１増加して同様に繰り返し、選択指示がない場合は、連続入力回数を１増加して同様に繰り返す入力文字表示部とから構成される。
【００１１】
また、キー選択表示部は、キーレイアウトの中で、コード変換部が変換した文字コードに対応するキーの形状を変えることで、そのキーが選択されていることを表示する手段を有してもよい。
【００１２】
また、キー選択表示部は、キーレイアウトの中で、コード変換部が変換した文字コードに対応するキーに対応する文字を音声としてスピーカから出力することで、そのキーが選択されていることを表示する手段を有してもよい。
【００１３】
本発明の文字入力装置を用いた文字入力方法は、
リモートコントロール装置への入力内容を表示装置に表示させる文字入力装置を用いた文字入力方法であって、リモートコントロール装置の数字キー又は記号キー入力に対応して送信されるリモートコントロールコードの信号をリモートコントロール装置により文字入力装置のリモートコントロール受信部へ送信するステップと、リモートコントロール装置から送信されたリモートコントロールコードの信号をリモートコントロール受信部により受信するステップと、リモートコントロール受信部が受信したリモートコントロールコードを、文字入力装置のリモートコントロールコード解読部により、解読して、入力された数字キーの番号又は記号キーの記号を認識するステップと、リモートコントロール装置の同じ数字キーへの連続入力回数に対応する文字及びその文字コードからなる文字コード情報テーブルを用いて、文字入力装置のコード変換部により、リモートコントロールコード解読部が解読して認識した数字キーの番号又は記号キーの記号及び同じ数字キーへの連続入力回数とから、前記数字キーの番号又は記号キーの記号に対応する文字コードと文字を検索し、数字キーの番号又は記号キーの記号を文字コードへ変換するステップと、文字入力装置のキー選択表示部により、表示装置の画面表示エリア内におけるリモートコントロール装置と同じキー配置を示すキーレイアウトの中で、コード変換部が変換した文字コードに対応するキーの色を変えることでそのキーが選択又は非選択されていることを表示する手段を有し、リモートコントロールコード解読部が解読して認識した数字キーの番号により、同じ数字キーへの連続入力回数が１であると判断した場合、既に選択表示中のキーの有無を確認し、選択表示中のキーがあれば非選択に戻した後に、コード変換部が変換した文字コードに対応するキーを選択表示し、既に選択表示中のキーが無ければそのままコード変換部が変換した文字コードに対応するキーを選択表示し、リモートコントロール装置の所定の記号キーの押下により入力を決定する場合は、記号キーの押下により対応する記号キーを選択表示するステップと、文字入力装置の入力文字表示部により、リモートコントロールコード解読部が解読して認識した数字キーの番号により、同じ数字キーへの連続入力回数が２以上であると判断した場合に、連続入力回数に対応する文字コード情報テーブルの数字キーの番号からコード変換部が検索した文字を表示装置の画面表示エリア内における文字入力枠に表示し、その後、表示文字を選択指示する旨の入力を受け付けると、次の入力が異なる数字キーの場合は、その異なる数字キーを入力して文字入力枠の文字表示欄をシフトし、次の入力が同じ数字キーの場合は、所定の記号キーの押下によりキー選択表示部によって対応する記号キーが選択表示された後に、所定の記号キーの再押下により表示文字を選択指示し、文字入力枠の文字表示欄をシフトし、連続入力回数を１増加して同様に繰り返し、選択指示がない場合は、連続入力回数を１増加して同様に繰り返すステップとを有する。
【００１４】
本発明のプログラムは、コンピュータ又はマイクロプロセッサに、上記の文字入力方法を実行させる。
【発明の効果】
【００１５】
本発明には、以下の効果がある。
【００１６】
本発明は、１度目に入力された数字キーに対応するキーをテレビ受像機等の表示装置の画面上のキーレイアウトに表示することで、現在の指の位置をリモートコントロール装置を見ずにテレビ受像機等の表示装置を見たまま認識することができ、目的のキーでなかった場合もテレビ受像機等の表示装置の画面を見たまま目的のキーを探すことができる。目的のキーを探した後、続けて数字キーを入力することで文字を入力できるため、一連の文字入力の作業をテレビ受像機等の表示装置の画面を見たまま行なうことができ、また、リモートコントロール装置は常にデータ放送受信機等の文字入力装置に向けたまま操作が可能となる。
【００１７】
従って、入力した文字が誤っていないかどうかを確認するために、常にリモートコントロール装置とテレビ受像機等の表示装置の画面を交互に見なければならないという煩わしさ、更には、リモートコントロール装置をデータ放送受信機等の文字入力装置に向けたままキーを探して押さなければならないという煩わしさを回避することができ、操作者への負担を軽減することができる。
【００１８】
即ち、テレビ受像機等の表示装置にリモートコントロール装置のキーと同じ配置のキーレイアウトを表示し、リモートコントロール装置の何れかのキーを押した時に、そのキーに対応するテレビ受像機等の表示装置の画面上のキーを選択状態に変化させることで、現在どのキーに指をかけているかをテレビ受像機等の表示装置の画面上で確認することが可能となる。
【００１９】
従って、数字キーを使用して携帯電話と同様の方法による文字入力を行なう時など、複雑なキー操作を行なう場合でもリモートコントロール装置を常にデータ放送受信機等の文字入力装置に向けておき、テレビ受像機等の表示装置の画面だけを見て指の位置を確認しながらブラインドタッチでの文字入力が可能となる。
【発明を実施するための最良の形態】
【００２０】
（発明の第１の実施の形態）
本発明の第１の実施の形態の文字入力装置としてのデータ放送受信機と表示装置としてのテレビ受像機とリモートコントロール装置の関係を図１に示す。テレビ受像機1、データ放送受信機２、データ放送受信機２のリモートコントロール受信部３、リモートコントロール装置４、AV（Audio Visual）ケーブル５が示されている。データ放送受信機２の受信内容はAVケーブル５を通してテレビ受像機１に表示される。文字入力はリモートコントロール装置４の数字キー９又は記号キー９１により入力し、リモートコントロール装置４から送信される数字キー９の番号又は記号キー９１の記号に対応するリモートコントロールコードの赤外線信号を、データ放送受信機２のリモートコントロール受信部３の赤外線受光部で受信し、データ放送受信機２が各数字キー９の番号又は記号キー９１の記号に対応する文字コードと文字を認識する。データ放送受信機の例としては、「SKYPerfecTVデータ放送用アダプタ」がある。
【００２１】
図２に本発明の第１の実施の形態の文字入力装置としてのデータ放送受信機２の内部の構成と表示装置としてのテレビ受像機１の画面表示の内容とリモートコントロール装置４のキー配置とを示す。テレビ受像機1の画面表示エリア内にリモートコントロール装置４と同じキー配置でキーレイアウト６を表示する。また、文字入力を行なう箇所を文字入力枠７とする。
【００２２】
データ放送受信機２は、リモートコントロール受信部３とリモートコントロールコード解読部１０とコード変換部１１と文字コード格納部１２とキー選択表示部１３と入力文字表示部１４とから構成される。リモートコントロールコード解読部１０はリモートコントロール受信部３が受信したリモートコントロールコードを解読して入力された数字キー９の番号又は記号キー９１の記号を認識する。
【００２３】
図３は、リモートコントロール装置４の同じ数字キーへの連続入力回数により、数字キー９の番号又は記号キー９１の記号と１対１に対応する文字コードと文字を持つ文字コード情報テーブルを示す。文字コード情報テーブルは、「あ行」〜「わ行」の最初の文字に対応する文字コード情報の１と、「あ行」〜「わ行」の２番目の文字に対応する文字コード情報の２と、「あ行」〜「わ行」の３番目の文字に対応する文字コード情報の３と、「あ行」〜「わ行」の４番目の文字に対応する文字コード情報の４と、「あ行」〜「わ行」の５番目の文字に対応する文字コード情報の５とからなる。文字コード情報の１が文字コード格納部１２は、文字コード情報テーブルを格納する。
【００２４】
コード変換部１１は、文字コード情報テーブルにより、リモートコントロールコード解読部１０が解読した数字キー９の番号から、同じ数字キー９への入力が２回目であると判断した場合、即ち、同じ数字キー９への連続入力回数ｎが２であると判断した場合に、文字コード情報の１の数字キー９の番号に対応する文字コードと文字を検索し、数字キー９の番号を文字コードへ変換する。また、同じ数字キー９への入力が３回目であると判断した場合、即ち、同じ数字キー９への連続入力回数ｎが３であると判断した場合に、文字コード情報の２の数字キー９の番号に対応する文字コードと文字を検索し、数字キー９の番号を文字コードへ変換する。また、同じ数字キー９への入力が４回目であると判断した場合、即ち、同じ数字キー９への連続入力回数ｎが４であると判断した場合に、文字コード情報の３の数字キー９の番号に対応する文字コードと文字を検索し、数字キー９の番号を文字コードへ変換する。また、同じ数字キー９への入力が５回目であると判断した場合、即ち、同じ数字キー９への連続入力回数ｎが５であると判断した場合に、文字コード情報の４の数字キーの番号に対応する文字コードと文字を検索し、数字キー９の番号を文字コードへ変換する。また、同じ数字キー９への入力が６回目であると判断した場合、即ち、同じ数字キー９への連続入力回数ｎが６であると判断した場合に、文字コード情報の５の数字キー９の番号に対応する文字コードと文字を検索し、数字キー９の番号を文字コードへ変換する。また、同じ数字キー９への入力が７回目であると判断した場合、即ち、同じ数字キー９への連続入力回数ｎが７であると判断した場合に、元に戻り、文字コード情報の１の数字キー９の番号に対応する文字コードと文字を検索し、数字キー９の番号を文字コードへ変換する。以下、同様に繰り返す。
【００２５】
キー選択表示部１３は、テレビ受像機1の画面表示エリア内のキーレイアウト６の中で、コード変換部１１が数字キー９の番号から変換した文字コードに対応するキー８の色を変えることで、そのキー８が選択されていることを表示する手段を有する。リモートコントロールコード解読部１０が解読して認識した数字キー９の番号により、同じ数字キー９への入力が１回目であると判断した場合、即ち、同じ数字キー９への連続入力回数ｎが１であると判断した場合に、既に選択表示中のキー８の有無を確認し、選択表示中のキー８があれば非選択に戻した後に、コード変換部１１が数字キー９の番号から変換した文字コードに対応するキー８を選択表示し、既に選択表示中のキー８が無ければそのままコード変換部１１が数字キー９の番号から変換した文字コードに対応するキー８を選択表示する。「＊」記号キー９１の押下により表示文字の選択指示をする場合は、「＊」記号キー９１の押下により対応する「＊」記号キー８１を選択表示する。
【００２６】
入力文字表示部１４は、リモートコントロールコード解読部が解読して認識した数字キー９の番号により、同じ数字キー９への入力が連続して２回目であると判断した場合、即ち、同じ数字キー９への連続入力回数ｎが２であると判断した場合に、連続入力回数ｎが２に対応する文字コード情報の１の数字キー９の番号からコード変換部１１が検索した文字を文字入力枠７に表示する。
【００２７】
その表示文字の選択指示をする場合は、次の入力は同じ数字キー９かどうかを判断する。次の入力が異なる数字キー９の場合は、その異なる数字キー９を入力して文字入力枠７の文字表示欄をシフトする。次の入力が同じ数字キー９の場合は、「＊」記号キー９１の押下により、キー選択表示部１３によってキーレイアウト６内の「＊」記号キー８１を選択表示する。「＊」記号キー９１の再押下により表示文字を選択指示し、文字入力枠７の文字表示欄をシフトする。連続入力回数ｎを１つ増加して３とし、連続入力回数ｎが３及び入力数字キー９に対応する文字を文字入力枠７に表示する。以下、同様に繰り返す。
【００２８】
その表示文字を選択指示しない場合は、連続入力回数ｎを１つ増加して３とし、連続入力回数ｎが３及び入力数字キー９に対応する文字を文字入力枠７に表示する。以下、同様に繰り返す。
【００２９】
以下、本発明の第１の実施の形態の動作について説明する。まず図２に示すようにテレビ受像機１の画面にリモートコントロール装置４と同じ配置でキーレイアウト６を表示する。この時、キーレイアウト６の各キー８の中には文字入力モードに応じて各キー８に割り当てられた文字を表示する。
【００３０】
本実施の形態では広く使われている携帯電話の文字入力方法を例として、携帯電話の日本語入力時の文字割り当てと同じとする。
【００３１】
具体的には「１」数字キー９には「あ行」、「２」数字キー９には「か行」を割り当て、同様に「３」〜「０」数字キー９にはそれぞれ「さ行」〜「わ行」を割り当てる。なお、「や行」は「や、ゆ、よ」とし、「わ行」は「わ、を、ん」とする。キーレイアウト６の各キー８の中には割り当てられた文字の初期値「あ」〜「わ」を表示する。
【００３２】
次に実際の文字入力方法を示す。図４は「あかき」という文字を入力する場合の例である。
【００３３】
「あ」を入力するためにリモートコントロール装置４の「１」数字キー９を押し、「１」に対応するリモートコントロールコードを送信する。データ放送受信機２では「１」に対応するリモートコントロールコードを受信し、「１」数字キー９への入力が１回目である場合、キーレイアウト６の中で「１」数字キー９に対応する「あ」キー８の色を変えることで「あ」キー８が選択されていることを表示する。この時、操作ミスにより「１」数字キー以外の数字キー９を押した場合、キーレイアウト６上でそれぞれ対応するキー８の色を変えることで、誤った数字キー９を押していることを操作者が認識することができる。そして現在の指の位置から、目的とする数字キー９の位置を推測し数字キー９を押し直すことを繰り返すことで最終的に目的の数字キー９を押すことが可能となる。この時、現在の指の位置はテレビ受像機１の画面のみを見ていれば良いため、リモートコントロール装置４とテレビ受像機1を交互に見る煩わしさ、更にはリモートコントロール装置４をデータ放送受信機３に向けたままキーを探して押さなければならないという煩わしさを回避することができる。
【００３４】
また、目的の数字キー９を探した後、もう一度「１」数字キー９を押し、文字入力枠７に「あ」の文字を表示する。次に「か」を入力するために「か行」に対応するリモートコントロール装置４の「２」数字キー９を押す場合は、次の入力が直前の「１」と異なる「２」数字キー９のため、その異なる「２」数字キー９を入力して、文字入力枠７に表示している「あ」の文字を選択指示する。同時に、「２」数字キー９への入力が１回目であるので、キーレイアウト６の中で「２」数字キー９に対応する「か」キー８の色を変えることで「か」キー８が選択されていることを表示する。もう一度「２」数字キー９を押し、文字入力枠７に「か」の文字を表示する。
【００３５】
次に「き」を入力するために「か行」に対応するリモートコントロール装置４の「２」数字キー９を押す場合は、次の入力が直前の「２」と同じ「２」数字キー９のため、「＊」記号キー９１の押下により、キーレイアウト６の中で「＊」記号キー９１に対応する「＊」記号キー８１の色を変えることで、「＊」記号キー８１が選択されていることを表示する。もう一度「＊」記号キー９１の押下により、文字入力枠７に表示している「か」の文字を選択指示する。更にリモートコントロール装置４の「２」数字キー９を押し、文字入力枠７に「き」の文字を表示する。
【００３６】
図５は文字入力装置としてのデータ放送受信機２における、キーコード処理フローを示す図である。
【００３７】
リモートコントロール装置４からの数字キー入力が有った場合（Ｓ１）、同じ数字キー９への入力が１回目であれば、即ち、同じ数字キー９への連続入力回数ｎが１であれば（Ｓ２）、テレビ受像機１の画面のキーレイアウト６内で既に選択表示中のキー８の有無を確認する（Ｓ３）。選択表示中のキー８があれば非選択に戻した（Ｓ４）後に入力された数字キー９に対応するキー８を選択表示とし（Ｓ５）、既に選択表示中のキー８が無ければそのまま入力された数字キー９に対応するキー８を選択表示とする（Ｓ５）。ここで、終了するかどうか判断し（Ｓ６）、終了しなければステップＳ１にもどる。
【００３８】
同じ数字キー９への入力が連続して２回目であれば、即ち、同じ数字キー９への連続入力回数ｎが２であれば（Ｓ２、Ｓ７）、連続入力回数ｎが２及び入力数字キー９に対応する文字を文字入力枠７に表示する（Ｓ８）。その表示文字を選択指示する場合は（Ｓ９）、次の入力は同じ数字キー９かどうかを判断する（Ｓ１１）。次の入力が異なる数字キー９の場合は、その異なる数字キー９を入力して文字入力枠７の文字表示欄をシフトして（Ｓ１２）ステップＳ１にもどる。次の入力が同じ数字キー９の場合は、「＊」記号キー９１の押下によりキーレイアウト６内の「＊」記号キー８１を選択表示する（Ｓ１３）。「＊」記号キー９１の再押下により表示文字を選択指示し、文字入力枠７の文字表示欄をシフトする（Ｓ１４）。ステップＳ１０にもどり、連続入力回数ｎを１つ増加して３とし（Ｓ１０）、連続入力回数ｎが３及び入力数字キー９に対応する文字を文字入力枠７に表示する（Ｓ８）。以下、ステップＳ９に進み同様に繰り返す。
【００３９】
その表示文字を選択指示しない場合は（Ｓ９）、連続入力回数ｎを１つ増加して３とし（Ｓ１０）、連続入力回数ｎが３及び入力数字キー９に対応する文字を文字入力枠７に表示する（Ｓ８）。以下、ステップＳ９に進み同様に繰り返す。
【００４０】
（発明の第２の実施の形態）
本発明は、日本語入力以外の、英数字や記号の入力についても同様に実施することが可能である。また、文字入力以外にも、リモートコントロール装置の様々な機能キーを同様に表示装置としてのテレビ受像機に表示することで表示装置としてのテレビ受像機の画面を見たまま操作が可能となる。
【００４１】
また、キーレイアウトにおいて選択されたキーを識別する方法についても、色を変える方法以外にキー形状を変えたり、選択されたキーに対応する文字を音声としてスピーカから出力する等の方法も可能である。
【００４２】
又、上述の本発明の実施の形態についての文字入力方法のプログラムにより、コンピュータ又はマイクロプロセッサにその文字入力方法を実行させることができる。
【図面の簡単な説明】
【００４３】
【図１】本発明の第１の実施の形態の文字入力装置としてのデータ放送受信機と表示装置としてのテレビ受像機とリモートコントロール装置の関係を示す図である。
【図２】本発明の第１の実施の形態の文字入力装置としてのデータ放送受信機の内部の構成と表示装置としてのテレビ受像機の画面表示の内容とリモートコントロール装置のキー配置とを示す図である。
【図３】リモートコントロール装置の同じ数字キーへの連続入力回数により、数字キーの番号又は記号キーの記号と１対１に対応する文字と文字コードを持つ文字コード情報テーブルを示す図である。
【図４】「あかき」という文字を入力する場合の例を示す図である。
【図５】文字入力装置としてのデータ放送受信機における、キーコード処理フローを示す図である。
【符号の説明】
【００４４】
１    テレビ受像機
２    データ放送受信機
３    リモートコントロール受信部
４    リモートコントロール装置
５    AV（Audio Visual）ケーブル
６    キーレイアウト
７    文字入力枠
８    キー
９    数字キー
８１    記号キー
９１    記号キー
【図１】
2005182287.tif 000003
【図２】
2005182287.tif 000004
【図３】
2005182287.tif 000005
【図４】
2005182287.tif 000006
【図５】
2005182287.tif 000007